【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータの現在のピクチャの符号化された表現を含むビットストリームを受信すること、ここにおいて、前記現在のピクチャの現在の領域は、前記現在の領域が属する時間的レイヤを示す時間的インデックスに関連付けられる、と、
前記現在のピクチャを再構築することと、
前記現在のピクチャより前に復号された前記ビデオデータのピクチャのサンプルに適応ループフィルタリング（ＡＬＦ）フィルタを適用する際に使用されるＡＬＦパラメータのセットを記憶することと、
前記現在の領域についてのＡＬＦパラメータの適用可能なセットを、前記現在の領域が属する前記時間的レイヤまたは前記現在の領域が属する前記時間的レイヤより低い時間的レイヤを、その関連付けられた時間的レイヤインデックスが示すＡＬＦパラメータの選択されたセットに基づいて決定することと、
前記現在の領域に適応ループフィルタリングを、前記現在の領域についてのＡＬＦパラメータの前記適用可能なセットに基づいて適用することと
を備える、方法。
【請求項２】
ビデオデータを符号化する方法であって、
ビデオデータの現在のピクチャの符号化された表現を含むビットストリームを生成すること、ここにおいて、前記現在のピクチャの現在の領域は、前記現在の領域が属する時間的レイヤを示す時間的インデックスに関連付けられる、と、
前記現在のピクチャを再構築することと、
前記現在のピクチャより前に復号された前記ビデオデータのピクチャのサンプルに適応ループフィルタリング（ＡＬＦ）フィルタを適用する際に使用されるＡＬＦパラメータのセットを記憶することと、
前記現在の領域についてのＡＬＦパラメータの適用可能なセットを、前記現在の領域が属する前記時間的レイヤまたは前記現在の領域が属する前記時間的レイヤより低い時間的レイヤインデックスを、その関連付けられた時間的レイヤインデックスが示すＡＬＦパラメータの選択されたセットに基づいて決定することと、
前記現在の領域に適応ループフィルタリングを、前記現在の領域についてのＡＬＦパラメータの前記適用可能なセットに基づいて適用することと
を備える、方法。
【請求項３】
前記ＡＬＦパラメータのセットを記憶することは、
異なる時間的レイヤに対応する複数のアレイの各それぞれのアレイについて、前記ＡＬＦパラメータのセットを、前記それぞれのアレイ中に記憶することを備える、
請求項１または２に記載の方法。
【請求項４】
前記ＡＬＦパラメータのセット中のＡＬＦパラメータのセットの数は、可変である、
請求項１または２に記載の方法。
【請求項５】
複数のアレイを割り振ることをさらに備え、前記ＡＬＦパラメータのセットは、前記複数のアレイ中に記憶される、
請求項１に記載の方法。
【請求項６】
リストデータ構造を割り振ることをさらに備え、前記ＡＬＦパラメータのセットは、前記リストデータ構造中に記憶される、
請求項１に記載の方法。
【請求項７】
前記現在の領域についてのＡＬＦパラメータの前記適用可能なセットを記憶することは、ＡＬＦパラメータのどのセットを前記現在の領域についてのＡＬＦパラメータの前記適用可能なセットと置き換えるかを、前記現在のピクチャのピクチャ順序カウンタ（ＰＯＣ）値とＡＬＦパラメータのセットに関連付けられたＰＯＣ値との間の差分に基づいて決定することを備える、
請求項１または２に記載の方法。
【請求項８】
前記現在の領域についてのＡＬＦパラメータの前記適用可能なセットを決定するときに、前記現在の領域についてのＡＬＦパラメータの前記適用可能なセットに関連付けられたピクチャ順序カウンタ（ＰＯＣ）値が、前記現在のピクチャの参照ピクチャリスト中の参照ピクチャのＰＯＣ値に等しいことが必要とされる、
請求項１または２に記載の方法。
【請求項９】
ＡＬＦパラメータの前記選択されたセットのインデックスを示すシンタックス要素を、前記ビットストリームから取得することをさらに備え、
前記現在の領域についてのＡＬＦパラメータの前記適用可能なセットを決定することは、ＡＬＦパラメータの前記選択されたセットを、前記シンタックス要素に基づいて決定することを備え、
前記シンタックス要素のフォーマットは、時間的インデックスに依存する、
請求項１に記載の方法。
【請求項１０】
前記現在の領域についてのＡＬＦパラメータの前記適用可能なセットを決定することは、フィルタ係数ではなくクラスマージング情報を、前記ＡＬＦパラメータのセットから決定することを備える、
請求項１または２に記載の方法。
【請求項１１】
前記現在の領域についてのＡＬＦパラメータの前記適用可能なセットを決定することは、クラスマージング情報ではなくフィルタ係数を、前記現在の領域が属する前記時間的レイヤに対応する前記アレイ中の前記ＡＬＦパラメータのセットから決定することを備える、
請求項３に記載の方法。
【請求項１２】
ＡＬＦパラメータの前記選択されたセットと前記現在の領域についてのＡＬＦパラメータの前記適用可能なセットとの間の差分のインジケーションを、前記ビットストリームから取得することをさらに備え、
前記現在の領域についてのＡＬＦパラメータの前記適用可能なセットを決定することは、前記現在の領域についてのＡＬＦパラメータの前記適用可能なセットを、ＡＬＦパラメータの前記選択されたセットと前記差分とに基づいて決定することを備える、
請求項１に記載の方法。
【請求項１３】
ビデオ復号器であって、
ビデオデータの現在のピクチャの符号化された表現を含むビットストリームを受信すること、ここにおいて、前記現在のピクチャの現在の領域は、前記現在の領域が属する時間的レイヤを示す時間的インデックスに関連付けられる、と、
前記現在のピクチャを再構築することと、
前記現在のピクチャより前に復号された前記ビデオデータのピクチャのサンプルに適応ループフィルタリング（ＡＬＦ）フィルタを適用する際に使用されるＡＬＦパラメータのセットを記憶することと、
前記現在の領域についてのＡＬＦパラメータの適用可能なセットを、前記現在の領域が属する前記時間的レイヤまたは前記現在の領域が属する前記時間的レイヤより低い時間的レイヤを、その関連付けられた時間的レイヤインデックスが示すＡＬＦパラメータの選択されたセットに基づいて決定することと、
前記現在の領域に適応ループフィルタリングを、前記現在の領域についてのＡＬＦパラメータの前記適用可能なセットに基づいて適用することと
を行うように構成される、デバイス。
【請求項１４】
ビデオ符号化器であって、
ビデオデータの現在のピクチャの符号化された表現を含むビットストリームを生成すること、ここにおいて、前記現在のピクチャの現在の領域は、前記現在の領域が属する時間的レイヤを示す時間的インデックスに関連付けられる、と、
前記現在のピクチャを再構築することと、
前記現在の領域より前に復号された前記ビデオデータのピクチャのサンプルに適応ループフィルタリング（ＡＬＦ）フィルタを適用する際に使用されるＡＬＦパラメータのセットを記憶することと、
前記現在の領域についてのＡＬＦパラメータの適用可能なセットを、前記現在の領域が属する前記時間的レイヤまたは前記現在の領域が属する前記時間的レイヤより低い時間的レイヤを、その時間的レイヤインデックスが示すＡＬＦパラメータの選択されたセットに基づいて決定することと、
前記現在の領域に適応ループフィルタリングを、前記現在の領域についてのＡＬＦパラメータの前記適用可能なセットに基づいて適用することと
を行うように構成される、デバイス。
【請求項１５】
実行されると、ビデオ復号器またはビデオ符号化器の１つまたは複数のプロセッサに、請求項１乃至１２のいずれか１項に記載の方法を実行させる命令を記憶する、コンピュータ可読データ記憶媒体。
【手続補正２】
【補正対象書類名】明細書
【補正対象項目名】０２１６
【補正方法】変更
【補正の内容】
【０２１６】
[0215]様々な例が説明されてきた。これらおよび他の例は、次の特許請求の範囲内にある。
以下に、本願出願の当初の特許請求の範囲に記載された発明を付記する。
［Ｃ１］
ビデオデータを復号する方法であって、
前記ビデオデータの現在のピクチャの符号化された表現を含むビットストリームを受信すること、ここにおいて、前記現在のピクチャの現在の領域は、前記現在の領域が属する時間的レイヤを示す時間的インデックスに関連付けられる、と、
前記現在のピクチャを再構築することと、
異なる時間的レイヤに対応する複数のアレイの各それぞれのアレイについて、前記現在の領域より前に復号され、且つ前記それぞれのアレイに対応する前記時間的レイヤまたは前記それぞれのアレイに対応する前記時間的レイヤより下位の時間的レイヤ中にある前記ビデオデータのピクチャの領域のサンプルに適応ループフィルタリング（ＡＬＦ）フィルタを適用する際に使用されるＡＬＦパラメータのセットを、前記それぞれのアレイ中に記憶することと、
前記現在の領域についてのＡＬＦパラメータの適用可能なセットを、前記現在の領域が属する前記時間的レイヤに対応する前記アレイ中のＡＬＦパラメータの選択されたセットに基づいて決定することと、
前記現在の領域に適応ループフィルタリングを、前記現在の領域についてのＡＬＦパラメータの前記適用可能なセットに基づいて適用することと
を備える、方法。
［Ｃ２］
前記ＡＬＦパラメータのセットを記憶することは、
前記複数のアレイの各それぞれのアレイについて、前記それぞれのアレイに対応する前記時間的レイヤに属し、且つ前記それぞれのアレイに対応する前記時間的レイヤより下位の時間的レイヤに属する前記現在のピクチャの前記現在の領域より前に復号された前記ビデオデータの前記ピクチャの前記領域のサンプルにＡＬＦフィルタを適用する際に使用されるＡＬＦパラメータのセットを、前記それぞれのアレイ中に記憶することを備える、
［Ｃ１］に記載の方法。
［Ｃ３］
前記複数のアレイのうちの少なくとも２つは、ＡＬＦパラメータの異なる数のセットを含む、
［Ｃ１］に記載の方法。
［Ｃ４］
前記現在の領域についてのＡＬＦパラメータの前記適用可能なセットが前記アレイ中に未だに記憶されていない場合に、前記現在の領域についてのＡＬＦパラメータの前記適用可能なセットを、前記現在の領域が属する前記時間的レイヤに対応する前記アレイまたは前記現在の領域が属する前記時間的レイヤより上位の時間的レイヤに対応する前記複数のアレイのうちの前記アレイのうちの少なくとも１つ中に記憶することをさらに備える、
［Ｃ１］に記載の方法。
［Ｃ５］
前記現在の領域についてのＡＬＦパラメータの前記適用可能なセットを記憶することは、前記現在の領域が属する前記時間的レイヤに対応する前記アレイ中のＡＬＦパラメータのどのセットを前記現在の領域についてのＡＬＦパラメータの前記適用可能なセットと置き換えるかを、前記現在のピクチャのＰＯＣ値とＡＬＦパラメータのセットに関連付けられたＰＯＣ値との間の差分に基づいて決定することを備える、
［Ｃ４］に記載の方法。
［Ｃ６］
前記現在の領域についてのＡＬＦパラメータの前記適用可能なセットを決定するときに、前記現在の領域についてのＡＬＦパラメータの前記適用可能なセットに関連付けられたＰＯＣ値が、前記現在のピクチャの参照ピクチャリスト中の参照ピクチャのＰＯＣ値に等しいことが必要とされる、
［Ｃ１］に記載の方法。
［Ｃ７］
ＡＬＦパラメータの前記選択されたセットのインデックスを示すシンタックス要素を、前記ビットストリームから取得することをさらに備え、
前記現在の領域についてのＡＬＦパラメータの前記適用可能なセットを決定することは、ＡＬＦパラメータの前記選択されたセットを、前記シンタックス要素に基づいて決定することを備え、
前記シンタックス要素のフォーマットは、時間的インデックスに依存する、
［Ｃ１］に記載の方法。
［Ｃ８］
前記現在の領域についてのＡＬＦパラメータの前記適用可能なセットを決定することは、フィルタ係数ではなくクラスマージング情報を、前記現在の領域が属する前記時間的レイヤに対応する前記アレイ中の前記ＡＬＦパラメータのセットから決定することを備える、
［Ｃ１］に記載の方法。
［Ｃ９］
前記現在の領域についてのＡＬＦパラメータの前記適用可能なセットを決定することは、クラスマージング情報ではなくフィルタ係数を、前記現在の領域が属する前記時間的レイヤに対応する前記アレイ中の前記ＡＬＦパラメータのセットから決定することを備える、
［Ｃ１］に記載の方法。
［Ｃ１０］
ＡＬＦパラメータの前記選択されたセットと前記現在の領域についてのＡＬＦパラメータの前記適用可能なセットとの間の差分のインジケーションを、前記ビットストリームから取得することをさらに備え、
前記現在の領域についてのＡＬＦパラメータの前記適用可能なセットを決定することは、前記現在の領域についてのＡＬＦパラメータの前記適用可能なセットを、ＡＬＦパラメータの前記選択されたセットと前記差分とに基づいて決定することを備える、
［Ｃ１］に記載の方法。
［Ｃ１１］
ビデオデータを符号化する方法であって、
前記ビデオデータの現在のピクチャの符号化された表現を含むビットストリームを生成すること、ここにおいて、前記現在のピクチャの現在の領域は、前記現在の領域が属する時間的レイヤを示す時間的インデックスに関連付けられる、と、
前記現在のピクチャを再構築することと、
異なる時間的レイヤに対応する複数のアレイの各それぞれのアレイについて、前記現在の領域より前に復号され、且つ前記それぞれのアレイに対応する前記時間的レイヤまたは前記それぞれのアレイに対応する前記時間的レイヤより下位の時間的レイヤ中にある前記ビデオデータのピクチャの領域のサンプルに適応ループフィルタリング（ＡＬＦ）フィルタを適用する際に使用されるＡＬＦパラメータのセットを、前記それぞれのアレイ中に記憶することと、
前記現在の領域についてのＡＬＦパラメータの適用可能なセットを、前記現在の領域が属する前記時間的レイヤに対応する前記アレイのうちの１つ中のＡＬＦパラメータの選択されたセットに基づいて決定することと、
前記現在の領域に適応ループフィルタリングを、前記現在の領域についてのＡＬＦパラメータの前記適用可能なセットに基づいて適用することと、
前記現在の領域に前記適応ループフィルタリングを適用した後に、前記ビデオデータの後続のピクチャの予測のために前記現在の領域を使用することと
を備える、方法。
［Ｃ１２］
前記ＡＬＦパラメータのセットを記憶することは、
前記複数のアレイの各それぞれのアレイについて、前記それぞれのアレイに対応する前記時間的レイヤに属し、且つ前記それぞれのアレイに対応する前記時間的レイヤより下位の時間的レイヤに属する前記現在のピクチャの前記現在の領域より前に復号された前記ビデオデータの前記ピクチャの前記領域のサンプルにＡＬＦフィルタを適用する際に使用されるＡＬＦパラメータのセットを、前記それぞれのアレイ中に記憶することを備える、
［Ｃ１１］に記載の方法。
［Ｃ１３］
前記複数のアレイのうちの少なくとも２つは、ＡＬＦパラメータの異なる数のセットを含む、
［Ｃ１１］に記載の方法。
［Ｃ１４］
前記現在の領域についてのＡＬＦパラメータの前記適用可能なセットが前記アレイ中に未だに記憶されていない場合に、前記現在の領域についてのＡＬＦパラメータの前記適用可能なセットを、前記現在の領域が属する前記時間的レイヤに対応する前記アレイまたは前記現在の領域が属する前記時間的レイヤより上位の時間的レイヤに対応する前記複数のアレイのうちの前記アレイのうちの少なくとも１つ中に記憶することをさらに備える、
［Ｃ１１］に記載の方法。
［Ｃ１５］
前記現在の領域についてのＡＬＦパラメータの前記適用可能なセットを記憶することは、前記現在の領域が属する前記時間的レイヤに対応する前記アレイ中のＡＬＦパラメータのどのセットを前記現在の領域についてのＡＬＦパラメータの前記適用可能なセットと置き換えるかを、前記現在のピクチャのＰＯＣ値とＡＬＦパラメータのセットに関連付けられたＰＯＣ値との間の差分に基づいて決定することを備える、
［Ｃ１４］に記載の方法。
［Ｃ１６］
前記現在の領域についてのＡＬＦパラメータの前記適用可能なセットを決定するときに、前記現在の領域についてのＡＬＦパラメータの前記適用可能なセットに関連付けられたＰＯＣ値が、前記現在のピクチャの参照ピクチャリスト中の参照ピクチャのＰＯＣ値に等しいことが必要とされる、
［Ｃ１１］に記載の方法。
［Ｃ１７］
ＡＬＦパラメータの前記選択されたセットのインデックスを示すシンタックス要素を、前記ビットストリーム中に含めることをさらに備える、
［Ｃ１１］に記載の方法。
［Ｃ１８］
前記現在の領域についてのＡＬＦパラメータの前記適用可能なセットを決定することは、フィルタ係数ではなくクラスマージング情報を、前記現在の領域が属する前記時間的レイヤに対応する前記アレイ中の前記ＡＬＦパラメータのセットから決定することを備える、
［Ｃ１１］に記載の方法。
［Ｃ１９］
前記現在の領域についてのＡＬＦパラメータの前記適用可能なセットを決定することは、クラスマージング情報ではなくフィルタ係数を、前記現在の領域が属する前記時間的レイヤに対応する前記アレイ中の前記ＡＬＦパラメータのセットから決定することを備える、
［Ｃ１１］に記載の方法。
［Ｃ２０］
ＡＬＦパラメータの前記選択されたセットと前記現在の領域についてのＡＬＦパラメータの前記適用可能なセットとの間の差分のインジケーションを、前記ビットストリーム中に含めることをさらに備える、
［Ｃ１１］に記載の方法。
［Ｃ２１］
ビデオデータを復号するためのデバイスであって、前記デバイスは、
前記ビデオデータを記憶するように構成された１つまたは複数の記憶媒体と、
前記ビデオデータの現在のピクチャの符号化された表現を含むビットストリームを受信すること、ここにおいて、前記現在のピクチャの現在の領域は、前記現在の領域が属する時間的レイヤを示す時間的インデックスに関連付けられる、と、
前記現在のピクチャを再構築することと、
異なる時間的レイヤに対応する複数のアレイの各それぞれのアレイについて、前記現在の領域より前に復号され、且つ前記それぞれのアレイに対応する前記時間的レイヤまたは前記それぞれのアレイに対応する前記時間的レイヤより下位の時間的レイヤ中にある前記ビデオデータのピクチャの領域のサンプルに適応ループフィルタリング（ＡＬＦ）フィルタを適用する際に使用されるＡＬＦパラメータのセットを、前記それぞれのアレイ中に記憶することと、
前記現在の領域についてのＡＬＦパラメータの適用可能なセットを、前記現在の領域が属する前記時間的レイヤに対応する前記アレイ中のＡＬＦパラメータの選択されたセットに基づいて決定することと、
前記現在の領域に適応ループフィルタリングを、前記現在の領域についてのＡＬＦパラメータの前記適用可能なセットに基づいて適用することと
を行うように構成された１つまたは複数のプロセッサと
を備える、デバイス。
［Ｃ２２］
前記１つまたは複数のプロセッサは、前記ＡＬＦパラメータのセットを記憶することの一部として、前記１つまたは複数のプロセッサは、
前記複数のアレイの各それぞれのアレイについて、前記それぞれのアレイに対応する前記時間的レイヤに属し、且つ前記それぞれのアレイに対応する前記時間的レイヤより下位の時間的レイヤに属する前記現在のピクチャの前記現在の領域より前に復号された前記ビデオデータの前記ピクチャの前記領域のサンプルにＡＬＦフィルタを適用する際に使用されるＡＬＦパラメータのセットを前記それぞれのアレイ中に記憶することを行うように構成される、
［Ｃ２１］に記載のデバイス。
［Ｃ２３］
前記複数のアレイのうちの少なくとも２つは、ＡＬＦパラメータの異なる数のセットを含む、
［Ｃ２１］に記載のデバイス。
［Ｃ２４］
前記１つまたは複数のプロセッサは、前記現在の領域についてのＡＬＦパラメータの前記適用可能なセットが前記アレイ中に未だに記憶されていない場合に、前記現在の領域についてのＡＬＦパラメータの前記適用可能なセットを、前記現在の領域が属する前記時間的レイヤに対応する前記アレイまたは前記現在の領域が属する前記時間的レイヤより上位の時間的レイヤに対応する前記複数のアレイのうちの前記アレイのうちの少なくとも１つ中に記憶することを行うようにさらに構成される、
［Ｃ２１］に記載のデバイス。
［Ｃ２５］
前記１つまたは複数のプロセッサは、前記現在の領域についてのＡＬＦパラメータの前記適用可能なセットを記憶することの一部として、前記１つまたは複数のプロセッサが、前記現在の領域が属する前記時間的レイヤに対応する前記アレイ中のＡＬＦパラメータのどのセットを前記現在の領域についてのＡＬＦパラメータの前記適用可能なセットと置き換えるかを、前記現在のピクチャのＰＯＣ値とＡＬＦパラメータのセットに関連付けられたＰＯＣ値との間の差分に基づいて決定することを行うように構成される、
［Ｃ２４］に記載のデバイス。
［Ｃ２６］
前記現在の領域についてのＡＬＦパラメータの前記適用可能なセットを決定するときに、前記現在の領域についてのＡＬＦパラメータの前記適用可能なセットに関連付けられたＰＯＣ値が、前記現在のピクチャの参照ピクチャリスト中の参照ピクチャのＰＯＣ値に等しいことが必要とされる、
［Ｃ２１］に記載のデバイス。
［Ｃ２７］
前記１つまたは複数のプロセッサは、
ＡＬＦパラメータの前記選択されたセットのインデックスを示すシンタックス要素を、前記ビットストリームから取得することを行うようにさらに構成され、
前記１つまたは複数のプロセッサは、前記現在の領域についてのＡＬＦパラメータの前記適用可能なセットを決定することの一部として、前記１つまたは複数のプロセッサが、ＡＬＦパラメータの前記選択されたセットを、前記シンタックス要素に基づいて決定するように構成され、
前記シンタックス要素のフォーマットは、時間的インデックスに依存する、
［Ｃ２１］に記載のデバイス。
［Ｃ２８］
前記１つまたは複数のプロセッサは、前記現在の領域についてのＡＬＦパラメータの前記適用可能なセットを決定することの一部として、前記１つまたは複数のプロセッサが、フィルタ係数ではなくクラスマージング情報を、前記現在の領域が属する前記時間的レイヤに対応する前記アレイ中の前記ＡＬＦパラメータのセットから決定することを行うように構成される、
［Ｃ２１］に記載のデバイス。
［Ｃ２９］
前記１つまたは複数のプロセッサは、前記現在の領域についてのＡＬＦパラメータの前記適用可能なセットを決定することの一部として、前記１つまたは複数のプロセッサが、クラスマージング情報ではなくフィルタ係数を、前記現在の領域が属する前記時間的レイヤに対応する前記アレイ中の前記ＡＬＦパラメータのセットから決定することを行うように構成される、
［Ｃ２１］に記載のデバイス。
［Ｃ３０］
前記１つまたは複数のプロセッサは、
ＡＬＦパラメータの前記選択されたセットと前記現在の領域についてのＡＬＦパラメータの前記適用可能なセットとの間の差分のインジケーションを、前記ビットストリームから取得することを行うようさらに構成され、
前記１つまたは複数のプロセッサは、前記現在の領域についてのＡＬＦパラメータの前記適用可能なセットを決定することの一部として、前記１つまたは複数のプロセッサが、前記現在の領域についてのＡＬＦパラメータの前記適用可能なセットを、ＡＬＦパラメータの前記選択されたセットと前記差分とに基づいて決定することを行うように構成される、
［Ｃ２１］に記載のデバイス。
［Ｃ３１］
前記デバイスは、ワイヤレス通信デバイスを備え、符号化されたビデオデータを受信するように構成された受信機をさらに備える、
［Ｃ２１］に記載のデバイス。
［Ｃ３２］
前記ワイヤレス通信デバイスは、電話ハンドセットを備え、および前記受信機は、前記符号化されたビデオデータを備える信号を、ワイヤレス通信規格にしたがって復調するように構成される、
［Ｃ３１］に記載のデバイス。
［Ｃ３３］
ビデオデータを符号化するためのデバイスであって、
前記ビデオデータを記憶するように構成された１つまたは複数の記憶媒体と、
１つまたは複数のプロセッサと
を備え、前記１つまたは複数のプロセッサは、
前記ビデオデータの現在のピクチャの符号化された表現を含むビットストリームを生成すること、ここにおいて、前記現在のピクチャの現在の領域は、前記現在の領域が属する時間的レイヤを示す時間的インデックスに関連付けられる、と、
前記現在のピクチャを再構築することと、
異なる時間的レイヤに対応する複数のアレイの各それぞれのアレイについて、前記現在の領域より前に復号され、且つ前記それぞれのアレイに対応する前記時間的レイヤまたは前記それぞれのアレイに対応する前記時間的レイヤより下位の時間的レイヤ中にある前記ビデオデータのピクチャの領域のサンプルに適応ループフィルタリング（ＡＬＦ）フィルタを適用する際に使用されるＡＬＦパラメータのセットを、前記それぞれのアレイ中に記憶することと、
前記現在の領域についてのＡＬＦパラメータの適用可能なセットを、前記現在の領域が属する前記時間的レイヤに対応する前記アレイのうちの１つ中のＡＬＦパラメータの選択されたセットに基づいて決定することと、
前記現在の領域に適応ループフィルタリングを、前記現在の領域についてのＡＬＦパラメータの前記適用可能なセットに基づいて適用することと、
前記現在の領域に前記適応ループフィルタリングを適用した後に、前記ビデオデータの後続のピクチャの予測のために前記現在の領域を使用することと
を行うように構成される、デバイス。
［Ｃ３４］
前記１つまたは複数のプロセッサは、前記ＡＬＦパラメータのセットを記憶することの一部として、前記１つまたは複数のプロセッサが、
前記複数のアレイの各それぞれのアレイについて、前記それぞれのアレイに対応する前記時間的レイヤに属し、且つ前記それぞれのアレイに対応する前記時間的レイヤより下位の時間的レイヤに属する前記現在のピクチャの前記現在の領域より前に復号された前記ビデオデータの前記ピクチャの前記領域のサンプルにＡＬＦフィルタを適用する際に使用されるＡＬＦパラメータのセットを、前記それぞれのアレイ中に記憶する
ように構成される、［Ｃ３３］に記載のデバイス。
［Ｃ３５］
前記複数のアレイのうちの少なくとも２つは、ＡＬＦパラメータの異なる数のセットを含む、
［Ｃ３３］に記載のデバイス。
［Ｃ３６］
前記１つまたは複数のプロセッサは、前記現在の領域についてのＡＬＦパラメータの前記適用可能なセットが前記アレイ中に未だに記憶されていない場合に、前記現在の領域についてのＡＬＦパラメータの前記適用可能なセットを、前記現在の領域が属する前記時間的レイヤに対応する前記アレイまたは前記現在の領域が属する前記時間的レイヤより上位の時間的レイヤに対応する前記複数のアレイのうちの前記アレイのうちの少なくとも１つ中に記憶することを行うようにさらに構成される、
［Ｃ３３］に記載のデバイス。
［Ｃ３７］
前記１つまたは複数のプロセッサは、前記現在の領域についてのＡＬＦパラメータの前記適用可能なセットを記憶することの一部として、前記１つまたは複数のプロセッサが、前記現在の領域が属する前記時間的レイヤに対応する前記アレイ中のＡＬＦパラメータのどのセットを前記現在の領域についてのＡＬＦパラメータの前記適用可能なセットと置き換えるかを、前記現在のピクチャのＰＯＣ値とＡＬＦパラメータのセットに関連付けられたＰＯＣ値との間の差分に基づいて決定することを行うように構成される、
［Ｃ３６］に記載のデバイス。
［Ｃ３８］
前記現在の領域についてのＡＬＦパラメータの前記適用可能なセットを決定するときに、前記現在の領域についてのＡＬＦパラメータの前記適用可能なセットに関連付けられたＰＯＣ値が、前記現在のピクチャの参照ピクチャリスト中の参照ピクチャのＰＯＣ値に等しいことが必要とされる、
［Ｃ３３］に記載のデバイス。
［Ｃ３９］
前記１つまたは複数のプロセッサは、ＡＬＦパラメータの前記選択されたセットのインデックスを示すシンタックス要素を、前記ビットストリーム中に含めるようにさらに構成される、
［Ｃ３３］に記載のデバイス。
［Ｃ４０］
前記１つまたは複数のプロセッサは、前記現在の領域についてのＡＬＦパラメータの前記適用可能なセットを決定することの一部として、前記１つまたは複数のプロセッサが、フィルタ係数ではなくクラスマージング情報を、前記現在の領域が属する前記時間的レイヤに対応する前記アレイ中の前記ＡＬＦパラメータのセットから決定するように構成される、
［Ｃ３３］に記載のデバイス。
［Ｃ４１］
前記１つまたは複数のプロセッサは、前記現在の領域についてのＡＬＦパラメータの前記適用可能なセットを決定することの一部として、前記１つまたは複数のプロセッサが、クラスマージング情報ではなくフィルタ係数を、前記現在の領域が属する前記時間的レイヤに対応する前記アレイ中の前記ＡＬＦパラメータのセットから決定するように構成される、
［Ｃ３３］に記載のデバイス。
［Ｃ４２］
前記１つまたは複数のプロセッサは、
ＡＬＦパラメータの前記選択されたセットと前記現在の領域についてのＡＬＦパラメータの前記適用可能なセットとの間の差分のインジケーションを、前記ビットストリーム中に含めることを行うようにさらに構成される、
［Ｃ３３］に記載のデバイス。
［Ｃ４３］
前記デバイスは、ワイヤレス通信デバイスを備え、符号化されたビデオデータを送信するように構成された送信機をさらに備える、
［Ｃ３３］に記載のデバイス。
［Ｃ４４］
前記ワイヤレス通信デバイスは、電話ハンドセットを備え、および前記送信機は、前記符号化されたビデオデータを備える信号を、ワイヤレス通信規格にしたがって変調するように構成される、
［Ｃ４３］に記載のデバイス。
［Ｃ４５］
ビデオデータを復号するためのデバイスであって、
前記ビデオデータの現在のピクチャの符号化された表現を含むビットストリームを受信するための手段、ここにおいて、前記現在のピクチャの現在の領域は、前記現在の領域が属する時間的レイヤを示す時間的インデックスに関連付けられる、と、
前記現在のピクチャを再構築するための手段と、
異なる時間的レイヤに対応する複数のアレイの各それぞれのアレイについて、前記現在の領域より前に復号され、且つ前記それぞれのアレイに対応する前記時間的レイヤまたは前記それぞれのアレイに対応する前記時間的レイヤより下位の時間的レイヤ中にある前記ビデオデータのピクチャの領域のサンプルに適応ループフィルタリング（ＡＬＦ）フィルタを適用する際に使用されるＡＬＦパラメータのセットを、前記それぞれのアレイ中に記憶するための手段と、
前記現在の領域についてのＡＬＦパラメータの適用可能なセットを、前記現在の領域が属する前記時間的レイヤに対応する前記アレイ中のＡＬＦパラメータの選択されたセットに基づいて決定するための手段と、
前記現在の領域に適応ループフィルタリングを、前記現在の領域についてのＡＬＦパラメータの前記適用可能なセットに基づいて適用するための手段と
を備える、デバイス。
［Ｃ４６］
ビデオデータを符号化するためのデバイスであって、
前記ビデオデータの現在のピクチャの符号化された表現を含むビットストリームを生成するための手段、ここにおいて、前記現在のピクチャの現在の領域は、前記現在の領域が属する時間的レイヤを示す時間的インデックスに関連付けられる、と、
前記現在のピクチャを再構築するための手段と、
異なる時間的レイヤに対応する複数のアレイの各それぞれのアレイについて、前記現在の領域より前に復号され、且つ前記それぞれのアレイに対応する前記時間的レイヤまたは前記それぞれのアレイに対応する前記時間的レイヤより下位の時間的レイヤ中にある前記ビデオデータのピクチャの領域のサンプルに適応ループフィルタリング（ＡＬＦ）フィルタを適用する際に使用されるＡＬＦパラメータのセットを、前記それぞれのアレイ中に記憶するための手段と、
前記現在の領域についてのＡＬＦパラメータの適用可能なセットを、前記現在の領域が属する前記時間的レイヤに対応する前記アレイのうちの１つ中のＡＬＦパラメータの選択されたセットに基づいて決定するための手段と、
前記現在の領域に適応ループフィルタリングを、前記現在の領域についてのＡＬＦパラメータの前記適用可能なセットに基づいて適用するための手段と、
前記現在の領域に前記適応ループフィルタリングを適用した後に、前記ビデオデータの後続のピクチャの予測のために前記現在の領域を使用するための手段と
を備える、デバイス。
［Ｃ４７］
実行されると、１つまたは複数のプロセッサに、
ビデオデータの現在のピクチャの符号化された表現を含むビットストリームを受信すること、ここにおいて、前記現在のピクチャの現在の領域は、前記現在の領域が属する時間的レイヤを示す時間的インデックスに関連付けられる、と、
前記現在のピクチャを再構築することと、
異なる時間的レイヤに対応する複数のアレイの各それぞれのアレイについて、前記現在の領域より前に復号され、且つ前記それぞれのアレイに対応する前記時間的レイヤまたは前記それぞれのアレイに対応する前記時間的レイヤより下位の時間的レイヤ中にある前記ビデオデータのピクチャの領域のサンプルに適応ループフィルタリング（ＡＬＦ）フィルタを適用する際に使用されるＡＬＦパラメータのセットを、前記それぞれのアレイ中に記憶することと、
前記現在の領域についてのＡＬＦパラメータの適用可能なセットを、前記現在の領域が属する前記時間的レイヤに対応する前記アレイ中のＡＬＦパラメータの選択されたセットに基づいて決定することと、
前記現在の領域に適応ループフィルタリングを、前記現在の領域についてのＡＬＦパラメータの前記適用可能なセットに基づいて適用することと
を行わせる命令を記憶する、コンピュータ可読データ記憶媒体。
［Ｃ４８］
実行されると、１つまたは複数のプロセッサに、
前記ビデオデータの現在のピクチャの符号化された表現を含むビットストリームを生成すること、ここにおいて、前記現在のピクチャの現在の領域は、前記現在の領域が属する時間的レイヤを示す時間的インデックスに関連付けられる、と、
前記現在のピクチャを再構築することと、
異なる時間的レイヤに対応する複数のアレイの各それぞれのアレイについて、前記現在の領域より前に復号され、且つ前記それぞれのアレイに対応する前記時間的レイヤまたは前記それぞれのアレイに対応する前記時間的レイヤより下位の時間的レイヤ中にある前記ビデオデータのピクチャの領域のサンプルに適応ループフィルタリング（ＡＬＦ）フィルタを適用する際に使用されるＡＬＦパラメータのセットを、前記それぞれのアレイ中に記憶することと、
前記現在の領域についてのＡＬＦパラメータの適用可能なセットを、前記現在の領域が属する前記時間的レイヤに対応する前記アレイのうちの１つ中のＡＬＦパラメータの選択されたセットに基づいて決定することと、
前記現在の領域に適応ループフィルタリングを、前記現在の領域についてのＡＬＦパラメータの前記適用可能なセットに基づいて適用することと、
前記現在の領域に前記適応ループフィルタリングを適用した後に、前記ビデオデータの後続のピクチャの予測のために前記現在の領域を使用することと
を行わせる命令を記憶するコンピュータ可読記憶媒体。